(57)【要約】【課題】従来の振動吸収シートでは、家具などの転倒が防げたとしても、家具が予期せぬ方向へ移動し、避難の際の妨げになる可能性がある。また、大地震の場合、家具や家財道具が大量に散乱した室内では、暗闇の中を非難するのは、非常に危険であった。【解決手段】本件発明では、振動吸収シートに発光性を備えた振動吸収シートを提供する。すなわち、弾性材料に蓄光性蛍光体を含有し、床面に接するべき第一面と、室内に配置する家具底面に接するべき第二面とを有する振動吸収シートを提供する。【選択図】      図１
2008075704.tif 000002
【特許請求の範囲】
【請求項１】
弾性材料に蓄光性蛍光体を含有し、床面に接するべき第一面と、室内に配置する家具底面に接するべき第二面とを有する振動吸収シート。
【請求項２】
室内に配置すべき家具側面に接するべき第三面をさらに有する請求項１に記載の振動吸収シート。
【請求項３】
前記第三面は、家具の角を構成する二面に接するように略Ｌ字状に形成されている請求項２に記載の振動吸収シート。
【発明の詳細な説明】
【技術分野】
【０００１】
本件発明は、タンスなどの家具や、商品ラック、パソコンやサーバなどの電子機器、計測機器や精密機器、陶磁器や美術品などの工芸品などの設置物の底面に配置し、地震による振動や、鉄道、道路などから発生する振動により、設置物が転倒するのを防止する振動吸収シートに関する。
【背景技術】
【０００２】
家具、電子機器、計測機器や精密機械、工芸品などの設置物は、地震などにより発生する振動により、転倒したり設置位置が移動したりすることがある。特に転倒した場合には、人体への危害が懸念される。また、電子機器などでは、内部に保存されたデータの破損や、消失などのほか、サーバの停止によるネットワークへの被害など、多大な影響が起こる。
【０００３】
そこで、特許文献１では、家具、電子機器、計測機器や精密機械、工芸品などの設置物に、地震や震動により、転倒や移動を防止するために、家具や機器の底面にウレタン系のゴム、樹脂などの振動吸収性能の良いエラストマーを設置することで、簡易的な耐震、防振対策として利用されている。
【０００４】
これらの振動吸収シートは、地震時の縦揺れ、横揺れを減衰し、地震時の家具、電子機器、計測機器や精密機械、工芸品などの転倒や移動などを低減することが可能である。
【特許文献１】特開平１１−１４１６１１号広報
【発明の開示】
【発明が解決しようとする課題】
【０００５】
地震が発生した場合、震源に近い地域では地震に伴い停電が発生することがある。特に、地震の発生が夜間などの場合は、停電により、自家発電設備を有さない個人宅などでは、室内が暗闇となってしまう。この場合、特許文献１に記載した振動吸収シートでは、転倒が防げたとしても、家具や機器が予期せぬ方向へ移動し、避難の際の妨げになる可能性がある。また、大地震の場合、家具や家財道具が大量に散乱した室内では、暗闇の中を避難するのは、非常に危険である。
【課題を解決するための手段】
【０００６】
そこで、本件発明では、振動吸収シートに発光性を備えた振動吸収シートを提供する。すなわち、第一の発明としては、弾性材料に蓄光性蛍光体を含有し、床面に接するべき第一面と、室内に配置する家具底面に接するべき第二面とを有する振動吸収シートを提供する。第二の発明としては、第一の発明に係り、室内に配置すべき家具側面に接するべき第三面をさらに有する振動吸収シートを提供する。第三の発明としては、第二の発明に係り、第三面は、家具の角を構成する二面に接するように略Ｌ字状に形成されている振動吸収シートを提供する。
【発明の効果】
【０００７】
本件発明の振動吸収シートにより、従来の振動吸収シートと同様の耐震性を有し、さらに発光性を有することで、夜間でも家具や機器などの位置を特定しやすくし、避難がスムーズに行えるようにすることが可能である。
【発明を実施するための最良の形態】
【０００８】
以下、本件発明の実施の形態について、添付図面を用いて説明する。なお、本件発明は、これら実施形態に何ら限定されるべきものではなく、その要旨を逸脱しない範囲において、種々なる態様で実施し得る。
【０００９】
実施形態１は、主に請求項１などに関する。
【００１０】
実施形態２は、主に請求項２などに関する。
【００１１】
実施形態３は、主に請求項３などに関する。
<<実施形態１>>
<実施形態１  概要>
【００１２】
本実施形態は、弾性材料に蓄光性蛍光体を含有する、振動吸収シートである。図１に示したように、本実施形態の振動吸収シート（０１０１）は、室内に配置する家具（０１０２）の下に設置される。夜間、暗い状態になると、発光し、暗闇の中でも家具などの位置が特定できるように構成されている。
<実施形態１  構成>
【００１３】
本実施形態の振動吸収シートは、弾性材料に蓄光性蛍光体を含有し、床面に接するべき第一面と、室内に配置する家具底面に接するべき第二面とを有する。図２に本実施形態の振動吸収シートの概念図を示した。本実施形態の振動吸収シートは、床面に接する第一面（０２０１）と、家具などの底面に接する第二面（０２０２）を有する。本実施形態の振動吸収シートの形状は、図２の（ａ）から（ｄ）に示したように、円形の他、四角形や三角形など、設置場所や用途に応じて変化させる。
【００１４】
「弾性材料」は、エラストマー材料など弾性を有する材料である。例えば、スチレン系、ウレタン系、オレフィン系、エステル系、アミド系などの熱可塑性エラストマーなどである。特に、スチレン系熱可塑性エラストマーは、硬度が低いので振動吸収に優れており、振動吸収シートに適している。また、これらのエラストマー材料は、後述の蓄光性蛍光体の発光を妨げないようにするため、透明又は半透明であることが好ましい。
【００１５】
これらのエラストマー材料に、軟化剤（可塑剤）を加えることで、振動の減衰性能を高めている。軟化剤としては、鉱物油系（パラフィン系オイル、ナフテン系オイル、アロマ系オイル）、植物油系、合成油系などの樹脂用またはゴム用の軟化剤である。これらの軟化剤は、単独で使用しても良いし、振動吸収シートのエラストマー材料の種類や目的とする硬度に応じて複数種を混合して使用しても良い。また、エステル系熱可塑性エラストマーに多量の軟化剤を配合すると、振動吸収性能が増すだけでなく、表面に粘着性が伴う。この粘着性により、家具と床面との接着性が向上し、振動発生時に家具の移動を抑制することも可能である。
【００１６】
「蓄光性蛍光体」は、発光時に光源が必要な反射材や蛍光顔料とは異なり、室内の照明や太陽光の光エネルギーを内部に蓄積し、暗闇においては、蓄積した光エネルギーを利用して、長時間にわたり発光する物であり、蓄光と発光を半永久的に繰り返す物である。蓄光性蛍光体としては、発光時間が長く、耐久性に優れた物、放射性物質を含まない物が好ましい。蓄光性蛍光体としては、例えば、アルミン酸ストロンチウム、珪素アルミン酸ストロンチウム、アルミン酸カルシウムなどのアルミン酸金属塩などである。蓄光性蛍光体の配合量は、エラストマー材料１００に対して、重量比２から５０の蓄光性蛍光体を配合する。特に重量比２から３０が好ましい。重量比２以下では、発光輝度が不足し、暗闇での視認性が悪くなる。逆に、重量比が５０以上では、振動吸収性能が低下し、振動吸収シートとして機能しない恐れがある。
【００１７】
エラストマー材料に軟化剤と蓄光性蛍光体を配合する以外に、必要に応じて各種充填材や表面の粘着性を向上させるための各種添加剤を配合しても良い。
【００１８】
「第一面」および「第二面」はそれぞれ、床面に接する面と、室内に配置する家具底面と接する面である。図３に本実施形態の振動吸収シートの斜視図を示した。第一面（０３０１）および第二面（０３０２）は、（ａ）に示したように平坦な平面や、（ｂ）の様な滑り止めとして、表面に様々な形状の溝（０３０３）を構成しても良い。また、第一面および第二面は、必ずしも平面である必要はなく、（ｃ）の様に略曲面として構成しても良い。これらの第一面および第二面の形状は、第一面または第二面のみであっても良いし、両面が同じ形状であっても良いし、第一面および第二面で異なった形状であってもよい。また、第一面および第二面が、全く同じ形状である場合などは、第一面を家具底面と接する面、第二面を床面に接する面として使用しても良い。
【００１９】
図４に本実施形態の振動吸収シートの断面概念図を示した。（ａ）に示したように、第一面（０４０１）および第二面（０４０２）の大きさは同じであっても、（ｂ）や（ｃ）の様に異なる大きさであってもよい。
<実施形態１  効果>
【００２０】
本実施形態の振動吸収シートは、振動吸収性能を有するエラストマー材料に蓄光性蛍光体を配合することで蓄光性を有する振動吸収シートである。このため、夜間の視認性が良く、地震などが夜間に発生した際に、家具などの位置を確認した上で、安全に避難することが可能である。
<<実施形態２>>
<実施形態２  概要>
【００２１】
本実施形態は、家具などの底面と接地面以外に、家具の側面に接する第三面を有している振動吸収シートである。家具の側面に接する第三面を有することで、視認性が向上し、さらに家具のズレを抑えることが可能である。
<実施形態２  構成>
【００２２】
本実施形態の振動吸収シートは、実施形態１の振動吸収シートに室内に配置すべき家具側面に接するべき第三面をさらに有している。
【００２３】
図５（ａ）に本実施形態の振動吸収シート（０５０１）の概念図を示した。（ｂ）は本実施形態の振動吸収シートを家具（０５０５）の下に設置したときの概念図である。本実施形態の振動吸収シートは、床面に接する第一面（０５０２）と家具などの底面と接する第二面（０５０３）と、家具の側面と接する第三面（０５０４）を有する。第三面は、第一面と第二面から垂直に位置し、家具の側面と接することで、振動吸収シートから家具の底面が外れないようにしている。第三面の表面は、実施形態１の第一面および第二面と同様に、滑り止めを目的とした溝を構成したり、略曲面として構成してもよい。また第三面は第一面、第二面を含む部分と異なる色に発光するように構成してもよい。さらに第三面を複数有する場合には各第三面どうしは異なる色に発光するように構成しても良い。色を異ならせることによって暗闇でさらに家具などの配置や、自身が避難すべき方向をつかみやすくする。また光で文字や記号が浮かび上がるように構成し同じような効果を持たせることもできる。また以上は床面と家具との間に振動吸収シートを配置することを述べたがこれに限らず天井面と家具との間に振動吸収シートを配置するようにしても良い。またその場合には家具の上面と天井面との間の距離にかんがみて振動吸収シートを十分厚くしても良い。たとえば５センチメートル、１０センチメートルという具合である。
<実施形態２  効果>
【００２４】
本実施形態の振動吸収シートは、第一面および第二面から垂直に位置する面で、家具などの側面と接する第三面を有する。この第三面を有することで、地震などの震動発生時に、家具などの底面が、振動吸収シートから外れる事を防いでいる。
<<実施形態３>>
<実施形態３  概要>
【００２５】
本実施形態は、実施形態３の振動吸収シートの第三面が、家具の側面の角と接するように、略Ｌ字状に形成されている。第三面を略Ｌ字上に形成することで、振動吸収シートは、家具の角に配置され、地震などの震動により振動吸収シートから家具が外れないようにすることが可能である。
<実施形態３  構成>
【００２６】
本実施形態の振動吸収シートは、実施形態２の振動吸収シートの第三面が、家具の角を構成する二面に接するように略Ｌ字形状に形成されている。
【００２７】
図６に本実施形態の振動吸収シート（０６０１）の概念図を示した。（ｂ）は本実施形態の振動吸収シートを家具（０６０５）の下に設置したときの概念図である。本実施形態の振動吸収シートは、床面に接する第一面（０６０２）と、家具などの底面と接する第二面（０６０３）と、家具の側面と接する第三面（０６０４）を有し、第三面が家具の角を構成する２面と接するように略Ｌ字状に形成されている。また、第三面は、第一面及び第二面から垂直に配置されている。第三面をＬ字状に形成することで、家具の角を保持し、地震などの震動発生時に、家具などの底面が、振動吸収シートから外れる事を防いでいる。
<実施形態３  効果>
【００２８】
第三面をＬ字状に形成することで、家具の角を保持し、地震などの震動発生時に、家具などの底面が、振動吸収シートから外れる事を防ぐ。
<<具体例>>
【００２９】
図７に本件発明の振動吸収シートの具体例を示した。具体例に示した振動吸収シートは、弾性材料に蓄光性蛍光体を含有し、床面に接するべき第一面（０７０１）と、室内に配置する家具底面に接するべき第二面（０７０２）と、家具の角を構成する二面に接するように略Ｌ字状に形成されている第三面（０７０３）を有する。振動吸収シートを構成する弾性材料として、スチレン系熱可塑性エラストマー材料を用い、合成油の軟化剤が添加されている。蓄光性蛍光体としては、アルミン酸ストロンチウムを主成分とする蓄光剤を加えている。軟化剤は、スチレン系熱可塑性エラストマー１００に対して重量比で２００を配合し、蓄光性蛍光体は、スチレン系熱可塑性エラストマー１００に対して重量比で２０を配合した。
【００３０】
振動吸収シートのサイズは、第一面が縦横略５０ｍｍの正方形で、第二面が、縦横略４２ｍｍの正方形である。第一面および第二面を構成する弾性材料の厚さは略８ｍｍである。第三面は、縦横５０ｍｍの正方形で、第三面を構成する弾性材料の厚さは略８ｍｍである。
【図面の簡単な説明】
【００３１】
【図１】実施形態１の概要を説明するための図
【図２】実施形態１を説明するための概念図
【図３】実施形態１を説明するための概念図
【図４】実施形態１を説明するための断面図
【図５】実施形態２を説明するための概念図
【図６】実施形態３を説明するための概念図
【図７】本件発明の具体例
【符号の説明】
【００３２】
０１０１  振動吸収シート
０１０２  家具
【図１】
2008075704.tif 000003
【図２】
2008075704.tif 000004
【図３】
2008075704.tif 000005
【図４】
2008075704.tif 000006
【図５】
2008075704.tif 000007
【図６】
2008075704.tif 000008
【図７】
2008075704.tif 000009